(57)【要約】ＩＰ対ＰＬＭＮゲートウエイ（ＩＰＧ）によって、ＰＬＭＮメッセージングドメインのＩＰドメインへの拡張が可能になる。ＰＬＭＮの（蓄積交換、メッセージ待機のような）エンハンストサービスファンクションが、ＩＰドメインにおいて利用可能なメッセージングサービスに移される。ＩＰＧは、モバイルネットワーク側でＳＭＳＣとインタフェースするＳＭＥインタフェースを有する。プレゼンス管理ファンクションが、ＩＰドメインのユーザのプレゼンス状態に関連するデータを検出しかつ保持する。
2005526470.tif 000002
【特許請求の範囲】
【請求項１】
パケットネットワークへのインタフェース（２、３）と、
モバイルネットワークへのインタフェース（２，７）と、
前記インタフェースに接続されたパケットネットワーク及びモバイルネットワーク間で通信されるメッセージのプロトコル変換を実行するためのプロセッサ（４〜８）とを備えるゲートウエイ。
【請求項２】
前記プロセッサが、前記パケットネットワークにおけるプレゼンス情報を検出しかつ維持するため、及び前記モバイルネットワークで使用されているフォームにプレゼンス状態をマッピングするためのプレゼンス管理ファンクション（６）を有する請求項１に記載のゲートウエイ。
【請求項３】
前記プレゼンス管理ファンクション（６）が、セッション開始プロトコル（ＳＩＰ）レジストラとして機能する請求項２に記載のゲートウエイ。
【請求項４】
前記プレゼンス管理ファンクションが、ＩＰネットワークの外部ＳＩＰレジストラにアクセスするためのインタフェースを有する請求項２又は３に記載のゲートウエイ。
【請求項５】
前記インタフェースがＳＩＰエントリのキャッシュを維持する請求項４に記載のゲートウエイ。
【請求項６】
前記プレゼンス管理ファンクション（６）が、ユーザのデバイス能力を記憶し、かつ前記プロトコル変換ファンクション（５）がデバイス能力に基づいてメッセージ配信プロトコルを選択する請求項２又は５に記載のゲートウエイ。
【請求項７】
前記プロセッサが、モバイルネットワークアドレスフォーマットを有するメッセージをパケットネットワークのユーザにルーティングするためのメッセージルーティングファンクション（８）を更に有する請求項１乃至６のいずれかに記載のゲートウエイ。
【請求項８】
前記ルーティングファンクション（８）が、モバイルネットワークフォーマットのアドレスをパケットネットワークフォーマットのアドレスに変換する請求項７に記載のゲートウエイ。
【請求項９】
前記ルーティングファンクションが、或るネットワークからの単一のメッセージを別のネットワークの多数のアドレスにルーティングする請求項１乃至８のいずれかに記載のゲートウエイ。
【請求項１０】
前記ルーティングファンクションがパケットネットワークブロードキャストサービスとインタフェースする請求項９に記載のゲートウエイ。
【請求項１１】
前記ゲートウエイが、ＳＭＥ又はＳＭＳＣのようなモバイルネットワークエンティティをエミュレートするためのインタフェース（７）を有する請求項１乃至１０のいずれかに記載のゲートウエイ。
【請求項１２】
前記インタフェースのエミュレーション機能によって、従来のモバイルネットワークの再構成なしに前記ゲートウエイの動作が可能である請求項１１に記載のゲートウエイ。
【請求項１３】
前記インタフェース（７）がメッセージのテキストからＵＲＬを抽出し、据置き肯定応答を提供し、かつＩＰドメインのユーザがアクティブになっていることをモバイルネットのＳＭＳＣに通知する請求項１１又は１２に記載のゲートウエイ。
【請求項１４】
前記プロセッサが、蓄積交換配信能力をＩＰドメインに拡張するためのメッセージ配信管理ファンクション（４）を有する請求項１乃至１３のいずれかに記載のゲートウエイ。
【請求項１５】
前記プレゼンス管理ファンクションがネットワークのエンティティに、加入者が別のネットワークのドメインに入ったかどうかを通知する請求項２乃至１４のいずれかに記載のゲートウエイ。
【請求項１６】
前記プレゼンス管理ファンクションが前記エンティティに、前記加入者が配信を待っているメッセージの目的とする受信者であるかどうかを通知する請求項１５に記載のゲートウエイ。
【請求項１７】
前記通知の信号によって、直接一致基準から部分一致基準までの範囲に亘るネットワークエンティティの検索基準が動的に特定される請求項１５又は１６に記載のゲートウエイ。
【請求項１８】
前記ゲートウエイが、ＳＭＳＣのようなネットワークエンティティのメッセージを修正してその宛先アドレスに課金するための手段を有する請求項１乃至１７のいずれかに記載のゲートウエイ。
【請求項１９】
モバイルネットワークとパケットネットワークとの間で通信するための方法であって、
前記モバイルネットワークのモバイル機器が、請求項１乃至１８のいずれかに記載されるゲートウエイのモバイルネットワークアドレス及び埋込み宛先パケットネットワークユーザアドレスを有するメッセージを送信し、
前記モバイルネットワークのエンティティが前記メッセージを前記ゲートウエイ（１）のインタフェース（７）にルーティングし、かつ
前記ゲートウエイ（１）が前記メッセージを前記インタフェース（７）で受け取り、前記宛先パケットネットワークアドレスを取り除き、かつ該メッセージを前記パケットネットワークアドレスを有するパケットネットワークユーザにルーティングする過程を有する方法。
【請求項２０】
前記パケットネットワークアドレスがセッション開始プロトコルフォーマットである請求項１９に記載の方法。
【請求項２１】
前記ゲートウエイが、前記パケットネットワークアドレスをパケットネットワークユーザのモバイルネットワーク標準アドレスに関連づけるテーブルを維持し、かつ後のメッセージについては、前記モバイルネットワークユーザがモバイルネットワーク標準アドレスのみを有し、かつ前記ゲートウエイが前記テーブルから前記パケットネットワークアドレスを検索する請求項１９又は２０に記載の方法。
【請求項２２】
前記ゲートウエイが、メッセージの通信のために少なくとも一つのモバイルネットワークエンティティに結び付いている請求項１９乃至２１のいずれかに記載の方法。
【請求項２３】
添付図面に関連して本明細書中に実質的に記載されるゲートウエイ。
【請求項２４】
図２に関連して本明細書に実質的に記載される通信方法。
【請求項２５】
図３に関連して本明細書に実質的に記載される通信方法。
【発明の詳細な説明】
【技術分野】
【０００１】
本発明はメッセージングに関する。
【背景技術】
【０００２】
ＰＬＭＮドメインにおけるメッセージングサービスは、移動体加入者の間で高レベルで利用されるようになっている。ショートメッセージサービス（ＳＭＳ）はＧＳＭネットワークに由来し、多くの様々なネットワーク技術にまで広がり、今ではＡＮＳＩ−４１  ＴＤＭＡ及びＣＤＭＡネットワークにおいて見受けられ、かつ日本のＰＤＣネットワークにおいて利用されている。この成長は、メッセージングサービスへの加入者の要求によって加速されており、以前は利用できなかった個人とグループ間での通信手段を提供している。２．５Ｇ及び３Ｇネットワーク技術の出現によって、パケットデータネットワーク（ＰＤＮ）ドメインをインターオペラビリティにもたらすことによって、モバイルネットワークの境界を越えてメッセージングサービスの範囲を拡張することには大きな利益がある。インターネットドメインは、近年非常に大きな成長を見せており、インターネットアドレスを介して接触可能なユーザの数は毎年大幅に増加している。更に、インターネットユーザの移動性はモバイルＩＰプロトコルによってますます支持されており、個々のユーザが、インターネットに接続する地理的位置に拘わらず同じインターネットアドレスで接触できるようにしている。
【発明の開示】
【発明が解決しようとする課題】
【０００３】
本発明は、統合メッセージングサービスの実行を可能にする制御及びトランスポートエンティティを提供し、ＰＬＭＮ及びＩＰドメイン（固定及び移動体）間でのメッセージの発信、トランスポート及び配信のための手段を提供することを目的としている。
【課題を解決するための手段】
【０００４】
本発明によれば、パケットネットワークへのインタフェースと、モバイルネットワークへのインタフェースと、前記インタフェースに接続されたパケットネットワーク及びモバイルネットワーク間で通信されるメッセージのプロトコル変換を実行するためのプロセッサとを備えるゲートウエイが提供される。
【０００５】
或る実施例では、前記プロセッサが、前記パケットネットワークにおけるプレゼンス情報を検出しかつ維持するため、及び前記モバイルネットワークで使用されているフォームにプレゼンス状態をマッピングするためのプレゼンス管理ファンクションを有する。
【０００６】
別の実施例では、前記プレゼンス管理ファンクションが、セッション開始プロトコル（ＳＩＰ）レジストラとして機能する。
【０００７】
更に別の実施例では、前記プレゼンス管理ファンクションが、ＩＰネットワークの外部ＳＩＰレジストラにアクセスするためのインタフェースを有する。
【０００８】
或る実施例では、前記インタフェースがＳＩＰエントリのキャッシュを維持する。
【０００９】
別の実施例では、前記プレゼンス管理ファンクションが、ユーザのデバイス能力を記憶し、かつ前記プロトコル変換ファンクションがデバイス能力に基づいてメッセージ配信プロトコルを選択する。
【００１０】
更に別の実施例では、前記プロセッサが、モバイルネットワークアドレスフォーマットを有するメッセージをパケットネットワークのユーザにルーティングするためのメッセージルーティングファンクションを更に有する。
【００１１】
或る実施例では、前記ルーティングファンクションが、モバイルネットワークフォーマットのアドレスをパケットネットワークフォーマットのアドレスに変換する。
【００１２】
別の実施例では、前記ルーティングファンクションが、或るネットワークからの単一のメッセージを別のネットワークの多数のアドレスにルーティングする。
【００１３】
更に別の実施例では、前記ルーティングファンクションがパケットネットワークブロードキャストサービスとインタフェースする。
【００１４】
或る実施例では、前記ゲートウエイが、ＳＭＥ又はＳＭＳＣのようなモバイルネットワークエンティティをエミュレートするためのインタフェースを有する。
【００１５】
別の実施例では、前記インタフェースのエミュレーション機能によって、従来のモバイルネットワークの再構成なしに前記ゲートウエイの動作が可能である。
【００１６】
更に別の実施例では、前記インタフェースがメッセージのテキストからＵＲＬを抽出し、据置き肯定応答を提供し、かつＩＰドメインのユーザがアクティブになっていることをモバイルネットのＳＭＳＣに通知する。
【００１７】
或る実施例では、前記プロセッサが、蓄積交換配信能力をＩＰドメインに拡張するためのメッセージ配信管理ファンクションを有する。
【００１８】
別の実施例では、前記プレゼンス管理ファンクションがネットワークのエンティティに、加入者が別のネットワークのドメインに入ったかどうかを通知する。
【００１９】
更に別の実施例では、前記プレゼンス管理ファンクションが前記エンティティに、前記加入者が配信を待っているメッセージの目的とする受信者であるかどうかを通知する。
【００２０】
或る実施例では、前記通知の信号によって、直接一致基準から部分一致基準までの範囲に亘るネットワークエンティティの検索基準が動的に特定される。
【００２１】
別の実施例では、前記ゲートウエイが、ＳＭＳＣのようなネットワークエンティティのメッセージを修正してその宛先アドレスに課金するための手段を有する。
【００２２】
別の側面では、本発明により、モバイルネットワークとパケットネットワークとの間で通信するための方法であって、
前記モバイルネットワークのモバイル機器が、上述したように定義されるゲートウエイのモバイルネットワークアドレス及び埋込み宛先パケットネットワークユーザアドレスを有するメッセージを送信し、
前記モバイルネットワークのエンティティが前記メッセージを前記ゲートウエイのインタフェースにルーティングし、かつ
前記ゲートウエイが前記メッセージを前記インタフェースで受け取り、前記宛先パケットネットワークアドレスを取り除き、かつ該メッセージを前記パケットネットワークアドレスを有するパケットネットワークユーザにルーティングする過程を有する方法が提供される。
【００２３】
或る実施例では、前記パケットネットワークアドレスがセッション開始プロトコルフォーマットである。
【００２４】
別の実施例では、前記ゲートウエイが、前記パケットネットワークアドレスをパケットネットワークユーザのモバイルネットワーク標準アドレスに関連づけるテーブルを維持し、かつ後のメッセージについては、前記モバイルネットワークユーザがモバイルネットワーク標準アドレスのみを有し、かつ前記ゲートウエイが前記テーブルから前記パケットネットワークアドレスを検索する。
【００２５】
更に別の実施例では、前記ゲートウエイが、メッセージの通信のために少なくとも一つのモバイルネットワークエンティティに結び付く。
【発明を実施するための最良の形態】
【００２６】
本発明は、添付図面を参照して以下に単なる実施例として記載されるいくつかの実施態様の詳細な説明からより明確に理解することができる。
【００２７】
本発明により、ＩＰドメインのユーザ（例えば、固定されたインターネットアドレスを有するユーザ又は現在動作中のワイヤレスＬＡＮ上のユーザ）への共通ＰＬＭＮベースのメッセージングサービス（例えば、ＳＭＳ、セルブロードキャスト）の配信を制御するためのＩＰ対ＰＬＭＮゲートウェイ（ＩＰＧ）ノード１が提供される。ＩＰドメインのユーザは固定又は移動体とすることができる。移動体加入者は一般にＰＬＭＮドメインとＩＰドメイン間でのローミングが可能であるとする。ローミングは二つの形態が存在する。即ち、（１）ＰＬＭＮのオペレーターが所有するＩＰドメインにＰＬＭＮ移動体加入者がローミングするフォームＰＬＭＮ（ＨＰＬＭＮ）加入者ローミング、及び（２）（既存のインターＰＬＭＮローミング契約を使用して）別のＰＬＭＮに「ローミング」しているＰＬＭＮ移動体加入者が訪問先ＰＬＭＮのＩＰドメインへローミングする訪問先ＰＬＭＮ（ＶＰＬＭＮ）加入者ローミングである。
【００２８】
従って、メッセージングサービスの届く範囲をＰＬＭＮドメインからＩＰドメインへ拡張することによって、メッセージユーザのより広い共同体が作られ、かつ移動体メッセージングのための唯一の発信又は着信器具としての移動体送受話器が取り除かれる。例えば、移動体加入者は、移動体送受話器を介して接触することはできないが、ワイヤレスＬＡＮ又は固定インターネットのようなパケットデータドメインに存在し得る別のユーザにメッセージを送りたい場合がある。同様に、インターネットユーザは、移動体加入者への配信のためにその送受話器でメッセージを発信したい場合がある。
【００２９】
ＰＤＮメッセージング共同体は、多くの異なる形を想定することができる。或るＰＤＮドメインの共同体は、ワイヤレスＬＡＮホットスポット（例えば、８０２．１１，ハイパーＬＡＮ）に接続された空港内のユーザの組とすることができ、別の共同体はインタラクティブＰＶドメインの「固定された」加入者とすることができる。そのような全てのＰＤＮドメインは、ＰＬＭＮからみてより大きい単一のＰＤＮドメインの一部とすることができ、又は同等に別個のＰＤＮドメインとして考えることができる。
【００３０】
本発明は、ＧＳＭ  ＰＬＭＮ及びＩＰベースのＰＤＮのコンテキストに記述される。しかしながら、本発明は、ＩＰベースのネットワークを越えたＰＤＮ技術に加えて、ＣＤＭＡ、ＴＤＭＡ、ＰＤＣ及びＵＭＴＳのような代替移動体ネットワーク技術に同様に適用することができる。
【００３１】
ＩＰ対ＰＬＭＮゲートウェイ（ＩＰＧ）ノードによって、固定インターネット及びワイヤレスＬＡＮネットワークのようなＩＰドメインへのＰＬＭＮメッセージングドメインの拡張が可能となる。ＩＰＧノード１は、セッション開始プロトコル（ＳＩＰ）ユーザエージェント（ＵＡ）３に接続され、更にメッセージ配信ファンクション４に接続されたＩＰトランスポートインタフェース２を有する。ファンクション４は、プロトコル変換ファンクション５とプレゼンス管理ファンクション６との双方に接続されている。ＳＭＥインタフェース７は、一方でインタフェースに接続され、かつ他方でプレゼンス管理ファンクション６とメッセージルーティングアドレス管理ファンクション８とに接続されている。また、前記ノードは請求課金ファンクション１０を有する。
【００３２】
ＩＰＧは、ＰＬＭＮドメインにおいて共通のメッセージングサービス及びフォーマットをＩＰドメインでの発信又は配信のために適当に修正できるようにする制御及びトランスポートファンクションの組を実行する。本発明の有利な要素は、ＰＬＭＮにおける全てのエンハンストサービスファンクション（例えば、蓄積交換、メッセージ待機及び警報ファンクション）が、ＩＰドメインで利用可能なメッセージングサービスに移されることである。ＩＰＧは、ＩＰドメインでの完全な機能的メッセージングサービスのためにＰＬＭＮでの既存のメッセージサービス設備を全く変更する必要が無いことを確実にしている。しかしながら、本発明はまた、ＩＰＧノードとメッセージングプラットフォーム間の標準的なインタフェースへの拡張を提供して、ＩＰドメインでのメッセージングサービスの最適な配信を可能にしている。本発明の別の側面は、メッセージングサービス（例えば、ショートメッセージサービス、セルブロードキャスト、マルチメディアメッセージング、インスタントメッセージング）を支援する全てのＰＬＭＮ技術及びあらゆるＩＰドメイン（例えば、固定された又は移動体インターネット）に適用し得ることである。ＧＳＭ  ＰＬＭＮ及び固定ネットワークＩＰドメインのコンテキストでの本発明の実行が以下に記載され、かつショートメッセージングサービスについて説明されている。
【００３３】
ＧＳＭネットワークでは、ショートメッセージサービスセンター（ＳＭＳＣ）ネットワーク要素によって、ショートメッセージングサービスが提供される。ＳＭＳＣは、インタワーキング・ゲートウェイＭＳＣ（Ｉ−ＧＭＳＣ）によって（ＨＬＲ、ＶＬＲ、ＭＳＣのような）ＰＬＭＮの別の要素と通信する。更に、ＳＭＳＣによって、サービス開発者がアプリケーションをＳＭＳＣと結び付けることができるアプリケーションインタフェースが提供される。このようなインタフェースプロトコルの一例が、ＳＭＳフォーラムによって特定されるショートメッセージ・ピアツーピア（ＳＭＰＰ）プロトコルである。ＰＬＭＮドメイン内では、ＳＭＳＣが特定の移動体加入者ＭＳＩＳＤＮにアドレス指定されたＳＭＰＰを介して外部アプリケーションからショートメッセージ（ＳＭ）を受け取ることができる。ＳＭＳＣはＳＭを内部記憶装置に記憶し、かつ次に移動体加入者についてＨＬＲからルーティング情報を要求する。ルーティング情報を受け取った場合には、移動体加入者について現在利用できるＭＳＣ／ＶＬＲを表示する。ＳＭＳＣは、移動体加入者への配信のために利用できるＭＳＣ／ＶＬＲにＳＭを提出する。配信が成功した場合に、ＳＭＳＣは、メッセージ記憶装置内に配信されたというマークをＳＭに付ける。配信が不成功の場合（恐らくは、移動体加入者が利用できるネットワーク内で接触できないため）には、ＳＭＳＣは、後での配信を試みることになる（加入者がネットワークで動作状態になった場合にＳＭＳＣに知らせるようにＨＬＲ内にメッセージ待機フラグを設定することができ、又は内部再試行アルゴリズムに従って再試行配信の試みのために前記メッセージをスケジュールすることができる）。
【００３４】
ＩＰＧノード１は、ＰＬＭＮから全範囲のメッセージング機能がＩＰドメインで提供され得るようにする全ての必要な機能的要素を取り入れている。図１に示す本発明の実施例では、ＩＰＧノード１における主要な機能エンティティは、
（ａ）ＰＬＭＮにおけるＳＭＳＣへのショートメッセージエンティティ（ＳＭＥ）インタフェース７、
（ｂ）加入者プレゼンス管理６，
（ｃ）プロトコル変換５，
（ｄ）メッセージ配信管理４，
（ｅ）メッセージルーティング及びアドレス管理８，
（ｆ）請求及び課金管理１０、である。
【００３５】
これらの機能エンティティは、本発明の特定の各実施例の条件に従って作られる。例えば、本発明のこの実施例では、ＳＭＳＣへのＳＭＥインタフェース７がＳＭＰＰプロトコルに基づいている。加入者プレゼンス管理、プロトコル変換及びメッセージ配信管理はセッション開始プロトコル（ＳＩＰ）に基づいている。
【００３６】
図１に関し、ＰＬＭＮとＩＰドメイン間のショートメッセージサービスの末端間記述が以下のように与えられる。
【００３７】
ＰＬＭＮ−発信／ＩＰ着信：
移動体加入者ＭＳはＧＳＭ  ＰＬＭＮを用いて、前記移動体加入者に知られた別のユーザに向けてＳＭＳを発信する。移動体加入者は、受信者が移動体送受話器を用いていないが、ネットワークに接続されたときにＳＩＰ  ＵＲＬを介してその固定インターネットサービス上でＳＭＳを受け取ることができることを知っている。移動体加入者は、ＩＰＧのＳＭＥインタフェース７に対応して宛先ＭＳＩＳＤＮを特定し、かつユーザのＳＩＰ  ＵＲＬをメッセージ内のテキストフィールドとして特定する。移動体加入者がメッセージを送信すると、それはＰＬＭＮにおいてＳＭＳＣが受け取り、該メッセージをＩＰＧノード１のＳＭＥインタフェース７へルーティングする。ＳＭＥインタフェース７は前記メッセージテキストから宛先ＳＩＰ  ＵＲＬを抽出して、この情報を加入者プレゼンス管理ファンクション６に提供する。前記メッセージのＳＭＰＰフォ−マットはメッセージルーティングエンティティ８およびプロトコル変換エンティティ５に提供され、そこで前記メッセージはＳＩＰを通じた配信に適したフォ−マットに変換される。プレゼンス管理ファンクション６はＳＩＰプロキシ及びＳＩＰレジストラエンティティを用いて、宛先ユーザの現在の状態を決定する。前記ユーザがＩＰドメインに接続していることが決定された場合、適当にフォ−マットされたＳＭが、配信のためにメッセージ配信管理ファンクション４に提出される。メッセージ配信は、宛先ユーザの機器上でピアＳＩＰユーザエージェント２０と通信するＳＩＰユーザエージェント３を用いて試みる。メッセージが首尾よく宛先ユーザに配信された場合、この状態がＳＭＥインタフェース７を介してＳＭＳＣに戻される。メッセージが配信されない場合、前記メッセージ配信管理ファンクションは前記宛先ユーザについてメッセージ待機フラグを設定することができる。ユーザがＩＰドメインに接続した場合、このプレゼンスがプレゼンス管理ファンクション６を介して検出され、通知信号がＰＬＭＮのＳＭＳＣに送られて、それが再度ＳＭＥインタフェース７を介してＳＭの配信を試みるように促す。このように、ＰＬＭＮのＳＭＳサービスの全機能がＩＰドメインに移されている。請求及び課金管理ファンクション１０を呼び出して課金機能をＩＰＧノード１に与える。先払い課金モデルを支援するために、メッセージ配信の試みを開始する前に、配信前信用調査を呼び出してユーザの貸方残高を調査することができる。信用調査が肯定的な表示を戻した場合、メッセージ配信が試みられ、配信が成功した場合にユーザの口座から適当な料金が差し引かれる。後払い課金モデルの場合、配信試みが成功した場合及び不成功の場合の双方についてＣＤＲ（コール詳細レコード）イベントが生成される。ＣＤＲイベントは、加入者課金情報を生成するために用いることができる、発信アドレス、宛先アドレス及び配信状態のような全ての関連する情報を含んでいる。
【００３８】
ＩＰ−配信／ＰＬＭＮ着信：
ＩＰドメイン９のユーザが、移動体加入者のＭＳＩＳＤＮを含むＳＩＰ  ＵＲＬを介してアドレス指定された、ＰＬＭＮドメインの移動体加入者へのＳＭを開始する。前記メッセージはユーザの機器上でＳＩＰユーザエージェント２０を介して提出され、それが該メッセージを標準ＳＩＰ  ＵＲＬメカニズムに基づいてＩＰＧノード１のＳＩＰユーザエージェント３にルーティングする。ＩＰＧノード１において、ＳＩＰユーザエージェント３がＵＲＬを処理して、移動体加入者のＭＳＩＳＤＮを引き出す。ＳＭはプロトコル変換機５に送られて、移動体加入者のＭＳＩＳＤＮを宛先アドレスとして、ＳＭＰＰフォーマットに変換される。再フォーマットされたメッセージは、ＳＭＥインタフェース７に送られ、それによってＳＭＰＰを通じてＰＬＭＮのＳＭＳＣに提出される。この時点で、メッセージ提出の肯定応答をＳＩＰユーザエージェント３を介してＩＰドメインのユーザへ戻すことができる。ＳＭ配信の更なる処理が、標準ＳＭＳ機能を用いてＰＬＭＮドメイン内で完全に処理される。この方向でのメッセージ配信の場合、加入者プレゼンス及びメッセージ配信管理機能エンティティ６，４は使用されない。
【００３９】
請求及び課金管理ファンクション１０は、着信メッセージの配信への課金又は非課金、メッセージの発信への課金又は非課金、及び先払い又は後払いモデルを含む、前記サービスへの課金モデルの範囲を支援することができる。先払い課金モデルの場合、請求及び課金ファンクションが加入者に対する信用照会を実行している間、メッセージ配信又はメッセージ発信ファンクションが中断される。信用調査が肯定的な場合、配信又は発信ファンクションが開始される。信用調査が否定的な場合、配信又は発信ファンクションは、取り消され、その代わりに前記加入者に信用回復のオプションを提示することができる。いずれの場合にも、請求及び課金管理ファンクション１０は、メッセージの提出及び配信の試みに関するＣＤＲイベントを記録する。これらのＣＤＲイベントは処理されて、後払い加入者について加入者課金情報を生成することができ、又は単に先払い課金モデルにおいて監査及び勘定調整目的のために用いることができる。
【００４０】
ＩＰドメインのための他のアドレス指定フォーマット：
他のアドレス指定フォーマットを用いて、ＩＰドメインのユーザのアドレスを特定することができ、ＩＰＧノード１によって実行される。ＩＰＧにより支援された別のアドレス指定フォーマットのいくつかの例を下に示す。
・ＭＳＩＳＤＮ様のアドレス−非ＰＬＭＮユーザがＭＳＩＳＤＮ様のアドレスを受け取る。
・ＳＩＰ  ＵＲＬにおけるＭＳＩＳＤＮ様の要素−非ＰＬＭＮユーザがＭＳＩＳＤＮ様のアドレスを受け取り、かつこれがＳＩＰ  ＵＲＬに組み込まれる。
・ＳＩＰ  ＵＲＬにおける「真」のＭＳＩＳＤＮ−ＰＬＭＮユーザはＩＰドメインでメッセージを受け取ることを選択でき、かつそれらのＰＬＭＮ  ＭＳＩＳＤＮはこの目的のためにＳＩＰ  ＵＲＬに組み込むことができる。
・ＭＳＩＳＤＮ様のまたはグループ「名称」要素を有するグループアドレス−このアドレス指定フォーマットは１対多方向型サービスに使用される。
・ＭＳＩＳＤＮ様のまたは位置「名称」要素を有する地理的または地域アドレス−このアドレス指定フォーマットはブロードキャストサービスに使用される。
・ＰＬＭＮユーザを表すＳＩＰ  ＵＲＬ−この形のアドレスは、ＳＭがＩＰユーザにより発信されている場合にＰＬＭＮユーザの宛先アドレスとして使用される。ＰＬＭＮユーザの真のＭＳＩＳＤＮは、通常ＳＩＰ  ＵＲＬ内に埋め込まれる。
【００４１】
これらのアドレス指定フォーマットはＩＰＧノード１により処理されて、ＩＰドメインのユーザからメッセージが受け取られている場合にＰＬＭＮユーザが「回答」ファンクションを引き起すことができるような、ＰＬＭＮドメインからのＩＰドメインのユーザの直接アドレス指定を支援することができる。
【００４２】
前記各機能エンティティで実行されるファンクションのより詳細な説明を以下に示す。
【００４３】
ＳＭＥインタフェース７
この機能エンティティは、ＩＰＧノード１とＰＬＭＮにおけるＳＭＳＣ間の通信を確実にする責任を持つ。本発明のこの実施例では、ＳＭＳＣとＩＰＧ間の通信が、ＳＭＰＰプロトコルを用いて保証されている。プロトコルの取り扱いに加えて、ＳＭＥインタフェース７は、まるで標準ＰＬＭＮ  ＳＭＥであるかのようにＩＰＧノード１がＳＭＳＣに対して表れることができるようにする特定の機能をも組み込んでいる。これらは、
・メッセージテキストからのＳＩＰ  ＵＲＬの抽出
・ＳＭＳＣから配信のために提出されるメッセージへの据置き肯定応答
・ＩＰドメインのユーザが動作中の状態になっている（即ち、プレゼンスが検出されている）ことをＳＭＳＣに知らせる通知信号を発生する能力
である。
【００４４】
加入者プレゼンス管理ファンクション６
この管理エンティティは、ＩＰドメインのユーザのプレゼンス状態を検出しかつ保持する責任を持つ。本実施例では、この機能がＳＩＰプロトコル内で定義されるメカニズムに基づく、即ちＳＩＰレジストラとして機能しかつＩＰドメインのＳＩＰユーザエージェント２０により送られたＳＩＰ  ＲＥＧＩＳＴＥＲメッセージを処理することができる。この場合、ＩＰＧノード１は、「登録された」（正規）ユーザのＳＩＰ−ＵＲＬ及びＩＰアドレスを記憶する。
【００４５】
ＳＩＰレジストラが既にＩＰネットワークドメイン内に存在することが可能である。この場合、プレゼンス管理エンティティ６はＳＩＰレジストラを照会して、メッセージ配信試みが要求される度に、ＩＰドメインのユーザについてプレゼンス情報を決定する。外部ＳＩＰレジストラとの通信オーバヘッドを減らすために、ファンクション６は、コンフィグラブル期間についてプレゼンス情報を記憶するＳＩＰレジストリキャッシュを組み込んでおり、従ってＳＩＰレジストラへの繰り返し照会が回避される。ＩＰドメインユーザが存在しないことによるメッセージ配信の失敗の場合には、前記ユーザへのＳＩＰレジストリキャッシュエントリが自動的に削除される。
【００４６】
プロトコル変換
このエンティティは、ＰＬＭＮで使用される信号送信プロトコルとＩＰドメインで使用されるプロトコル間の変換を提供する。本発明のこの実施例では、ＳＩＰプロトコルが、ＩＰドメインにおけるメッセージングサービスの配信のために使用される。ＰＬＭＮドメインとの通信はＳＭＰＰを用いて実行され、かつ前記プロトコル変換エンティティがＳＭＰＰとＳＩＰプロトコル間の変換を実行する。
【００４７】
一般に、メッセージを着信するのに使用されるＩＰドメインプロトコルは、メッセージの「宛先アドレス」パラメータ内にアドレス指定されたユーザ機器の能力によって決定されるものである。ＩＰＧノード１は、ユーザ機器の能力に基づいてメッセージ配信プロトコルを選択することになる。ユーザエージェント機器の機能は、ＩＰドメインにおけるユーザの登録の際にＩＰＧに送られることになる。これらユーザエージェントのプロファイルが、ＩＰＧプレゼンスファンクションによって記憶されることになる。
【００４８】
メッセージ配信管理４
この機能エンティティは、ＰＬＭＮドメインからの蓄積交換メッセージング配信モデルが確実にＩＰドメインに拡張される責任を持つ。メッセージをＩＰドメインへの配信のためにＰＬＭＮドメインから受け取ると、ＩＰＧは、選択したＩＰドメインプロトコルを用いて配信を試みる。ＳＩＰプロトコルを用いたメッセージ配信は、本発明のこの実施例について以下のように説明する。
【００４９】
メッセージをＳＭＥインタフェース７を介してＰＬＭＮから受け取ると、メッセージ配信管理エンティティ４は該メッセージを、プロトコル変換エンティティ５によりＳＩＰフォーマットに変換されかつＩＰドメインの宛先アドレス（ＳＩＰ  ＵＲＬ）が抽出された後に受け取る。最初に、前記配信エンティティが、ＳＩＰレジストラファンクションへの照会を提出することによって、ＩＰドメインのユーザのプレゼンスを調査することができる。前記ユーザが存在する場合、該ユーザの現在の連絡先をＳＩＰレジストラにより戻すことができる。これに代えて、前記配信エンティティが、ＤＮＳ経由のような別の手段によりまたは所有者のプロトコルを用いた内部照会を通じてＳＩＰ  ＵＲＬを決定するように試みることができる。配信エンティティ４は、前記ユーザへのメッセージの配信のために適当にフォーマットされたＳＩＰ  ＭＥＳＳＡＧＥ要求を生成する。使用中の配信プロトコルによって、ＳＩＰ  ＭＥＳＳＡＧＥは前記メッセージをそのペイロード内で搬送することができ、またはこれに代えてＳＩＰ  ＩＮＶＩＴＥ要求を用いて、前記メッセージが適当なセッションプロトコルを用いて転送されることになるセッションを前記ユーザと確立することができる。ＳＩＰ  ＭＥＳＳＡＧＥ要求を用いた直接配信を仮定して、連絡先が既に決定されている場合には、ＳＩＰ  ＭＥＳＳＡＧＥはＩＰＧ内のＳＩＰユーザエージェントを介して直接送ることができる。これに代えて、ＳＩＰ  ＭＥＳＳＡＧＥは、前記ユーザの現在の連絡先を決定する責任を持つＳＩＰプロキシを介して提出することができる。前記メッセージが首尾よくユーザに配信された場合には、肯定的応答が２００ＯＫ応答の形で前記配信エンティティに受け取られる。次に、この状態情報がＳＭＥインタフェース７を介してＰＬＭＮのＳＭＳＣに戻され、そこで前記メッセージには配信されたというマークを付すことができる。
【００５０】
メッセージの転送が（リソースの制限、ネットワークの問題により、もしくはユーザエージェントが登録されていないために）失敗した場合には、配信エンティティ４がＩＰＧ内にＵＡＣのためのメッセージ待機データ（ＭＷＤ）フラグを設定して、発信ＳＭＳＣのアドレスを記憶する。単一のＵＡＣに対して、該ＵＡＣへの配信を待っているメッセージが記憶されているソースＳＭＳＣをそれぞれに表す多数のＳＭＳＣアドレスを記憶させることができる。その後において、前記ユーザがＩＰドメインに登録する時、ＩＰＧノード１は該ユーザについてＭＷＤフラグが設定されていることを検出する。前記配信エンティティは、ユーザのＭＷＤフラグ内に記憶されている全てのＳＭＳＣアドレスに送信されるべきＳＭＰＰ「通知」メッセージを生成する。この通知メッセージをＳＭＳＣが用いて、ＩＰドメインのユーザへの配信を待っている全てのメッセージについて新たな配信試みをトリガする。再試行されたメッセージをＩＰＧノード１が受け取ると、それは次に上述したようにして、現在は登録されている前記ＵＡＣへの配信を続ける。
【００５１】
本発明により、ＳＭＳＣ及びＩＰＧノード１が協働して、直接アドレスがユーザに対して割り当てられていない場合でさえ、ＩＰドメインのユーザへの配信試みを最適にできる「通知」メッセージの実行を強化することが特定される。また、プレゼンス管理ファンクション６は、メッセージを待っている加入者がＩＰドメインに存在するようになっているかどうかを決定することができ、かつＳＭＳＣに通知する。エンハンスト通知メッセージは宛先ユーザのＳＩＰ  ＵＲＬを含んでいる。ＳＭＳＣで受け取られると、ＳＭＳＣで実行されるエンハンスト通知メカニズムがＩＰＧノード１について待機中のメッセージを調べ、通知されたＳＩＰ  ＵＲＬに適合するそれらのメッセージのみを通知する。通知されたＳＩＰ  ＵＲＬに「適合」するための基準は動的に変更することができ、例えば完全な一致を要求することができ、またはドメインでの部分一致もしくはドメインの一部で十分とすることができる。本発明の別の実施例では、前記通知メッセージそれ自体が、通知毎に要求される適合条件を特定する要素を含むことができる。
【００５２】
メッセージルーティング及びアドレス管理８
この機能エンティティは、メッセージが確実にＰＬＭＮ及びＩＰドメイン間で適切にルーティングされるようにする。また、ＰＬＭＮ互換アドレスをＩＰドメインアドレス（例えば、ＳＩＰ  ＵＲＬ）に割り当てるための機能を提供し、それによってＰＬＭＮドメインのユーザがＭＳＩＳＤＮ様のアドレスを用いてＩＰドメインのユーザを直接アドレス指定できるようにしている。この機能によって、本発明によれば、ＰＬＭＮ及びＩＰドメインのユーザ間での直接メッセージングが可能であり、例えばＰＬＭＮドメインのユーザが前記「回答」ファンクションを用いて、ＩＰドメインのユーザから受け取ったメッセージに応答することができる。ＩＰＧノード１によって支援された基本的なアドレス指定フォ−マットの動作について以下に説明する。
【００５３】
１．ＳＩＰ  ＵＲＬを用いてＩＰドメインのユーザをアドレス指定する：
ＰＬＭＮユーザがＩＰドメインのユーザにメッセージを送るとき、宛先アドレスとして周知のＭＳＩＳＤＮを入力しつつ、前記メッセージの本体の特別なテキストフィールドにＳＩＰ  ＵＲＬを入力することが要求され、それによって確実に前記メッセージがＩＰＧノード１にルーティングされる。前記メッセージをＩＰＧノード１が受け取ると、ＳＩＰ  ＵＲＬが前記メッセージから抽出されて、アドレス管理エンティティに送られる。ＳＩＰ  ＵＲＬを調べて、それがＩＰＧノード１により特定された範囲のＭＳＩＳＤＮ番号からＭＳＩＳＤＮ様のアドレスに割り当てられているかどうかを見る。ＭＳＩＳＤＮ様の番号が割り当てられていない場合には、アドレス管理エンティティ８は前記ＩＰＧ範囲から自由なＭＳＩＳＤＮを選択して、ＩＰＧに記憶されているＳＩＰ  ＵＲＬとの結合を作る。一旦割り当てられると、このＭＳＩＳＤＮ様の番号は、ＰＬＭＮドメインに関して、ＩＰユーザのための直接アドレスとして使用することができる。ＳＩＰ  ＵＲＬへのメッセージ配信試みが成功した場合には、前記ＭＳＩＳＤＮ様の番号を発信アドレスとして用いて配信受取りを生成することができる。ＰＬＭＮ加入者が受け取ると、このアドレスはＩＰユーザへの直接宛先アドレスとなり得るものであり、将来のメッセージにおいてメッセージテキストにＳＩＰ  ＵＲＬを特定する必要が取り除かれる。ＩＰＧがＭＳＩＳＤＮ様の直接アドレスを用いてＩＰユーザへのメッセージを受け取ると、アドレス管理エンティティ８が自動的にＩＰＧテーブルからＳＩＰ  ＵＲＬを検索して、ＩＰドメインにおける配信を完了する。
【００５４】
メッセージの配信が失敗した場合には、ＩＰＧノード１は、元の（ＩＰＧ）宛先アドレスを、ＳＭＳＣに記憶されているメッセージのコピー内の新たに割り当てられたＭＳＩＳＤＮ様の宛先アドレスと置き換える。ここで、その後のメッセージの再試行は、ＭＳＩＳＤＮ様のアドレスを宛先アドレスとして使用する。前記ＭＷＤフラグがＩＰユーザについて設定されている場合には、ＳＭＳＣに送られた「通知」メッセージがＭＳＩＳＤＮ様のアドレスを含んでおり、従って自動的に特定の加入者のみへの再試行がトリガされる。
【００５５】
２．ＭＳＩＳＤＮ様のアドレスを用いてＩＰドメインのユーザをアドレス指定する：
この場合、 ＩＰＧノード１におけるプロビジョニングインタフェースを用いて、ＭＳＩＳＤＮ様のアドレスとＩＰドメインでの配信に使用されたＳＩＰ  ＵＲＬ間で内部テーブルに結合を作る。このアドレス指定モードによって、ＰＬＭＮドメインのユーザはＩＰドメインのユーザのＭＳＩＳＤＮ様のアドレスを知らなければならないが、関連するＳＩＰ  ＵＲＬを知ることは要求されない。
【００５６】
３．ＩＰドメインのユーザがＳＩＰ  ＵＲＬアドレスにＭＳＩＳＤＮ様の要素を有する：
この場合、ＩＰＧノード１は、ＳＩＰ  ＵＲＬからＭＳＩＳＤＮ様の要素を抽出するように構成され、又は逆にＭＳＩＳＤＮ用のアドレスから元のＳＩＰ  ＵＲＬを再生するように構成される。
【００５７】
４．ＩＰドメインのユーザがＳＩＰ  ＵＲＬアドレスに「真」のＭＳＩＳＤＮ要素を有する：
このタイプのアドレス指定を可能にするために、ＩＰＧは自動的に真のＭＳＩＳＤＮについて接頭語を作り、それが確実にＩＰＧがＳＭＳＣに結び付いたときに特定されるＭＳＩＳＤＮ様のアドレスの範囲内に入るようにする。ＰＬＭＮドメインのユーザは、メッセージのテキストフィールドにＳＩＰ  ＵＲＬを特定することができ、又は特別の前記接頭語を知らせて、ＩＰドメインのＰＬＭＮ加入者をアドレス指定する際に用いることができる。いずれの場合にも、前記アドレス管理エンティティは自動的に、ＰＬＭＮ及びＩＰドメイン間で要求されるアドレス変換機能を実行する。
【００５８】
５．ＰＬＭＮドメインのユーザがＳＩＰ  ＵＲＬアドレスに「真」のＭＳＩＳＤＮ要素を有する：
このタイプのアドレス指定を用いて、ＩＰユーザはＰＬＭＮ加入者に配信するためのＳＭを発信することができる。ＩＰＧは自動的にＳＩＰ  ＵＲＬを処理して真のＭＳＩＳＤＮ情報を抽出し、次にこれが宛先アドレスとして使用されて、前記メッセージをＰＬＭＮドメインへ送る。
【００５９】
請求及び課金管理１０
この機能エンティティは、ノード１における請求及び課金要素の管理に責任を持つ。このエンティティによって実行される重要な機能には次のものが含まれる。
・ＩＰドメインの加入者へのメッセージングの発信及び配信に関連するＣＤＲイベントの生成。
・ＩＰＧについて先払い課金を取り扱う外部先払いシステムとの課金インタフェースの管理。
・先払い信用照会が外部先払いシステムによって支援されている場合、このエンティティは信用照会に対する応答が届くまで、メッセージ発信又は配信の試みを中断することができる。受け取った応答に基づいて、配信又は発信の試みを開始し又は取り消すことができる。
【００６０】
これらの機能エンティティを置き換え又は修正して、本発明を１対多方向型、ブロードキャスト又はマルチメディアメッセージングのような他のメッセージングサービスの制御又は配信に適合させることができる。ＳＭＥインタフェース７は、ブロードキャストサービスのためのメッセージブロードキャスト・エンティティにより、又はマルチメディアサービスのためのＭＭＳＣへのインタフェースにより置き換えることができる。同様に、プロトコル変換、加入者プレゼンス管理、及びメッセージ配信管理エンティティは、特定のサービスについての使用のために選択されたプロトコルに従って、置き換え又は修正される。メッセージルーティング及びアドレス管理エンティティ８は、グループ及び地理的アドレスのタイプのアドレス管理を組み込むように拡張される。例えば、ブロードキャストメッセージは、所在地の「名称」により識別される地理的位置にアドレス指定することができる。アドレス管理エンティティ８はこの名称をブロードキャストＳＩＰ  ＵＲＬのリストのそれに変換し、それが更にＳＩＰプロキシを介して定義の明確なブロードキャストＩＰサブネットアドレスに変えられ、それによって特定の地理的位置を含む特定のＷＬＡＮベースのステーションに前記ブロードキャストメッセージがルーティングされる。
【００６１】
ＰＬＭＮユーザからＩＰドメインに着信するＳＭサービスの説明：
このサービスのメッセージフローが図２に示されており、ＩＰドメインのユーザの直接アドレスがＰＬＭＮユーザにより使用されている。ＳＭＥとして機能するＩＰＧノード１は、ＩＰドメインのユーザへの直接アドレスとして割り当てられた一群のルーティング番号を代表してＰＬＭＮ  ＳＭＳＣに「結合」される。従って、前記直接アドレスは、ＭＳＩＳＤＮ様のフォーマットで特定することができる。
【００６２】
モバイルステーション（ＭＳ）がＳＭＳをＳＭＳＣに提出すると、前記メッセージの宛先アドレスがＩＰＧノード１について特定される範囲に適合することに基づいてＩＰＧノード１にルーティングされる。ＩＰＧノード１はＳＭＳＣからＤＥＬＩＶＥＲ＿ＳＭを受け取り、ＤＥＬＩＶＥＲ＿ＳＭに含まれる宛先アドレスを、アドレス管理エンティティを用いてＩＰユーザのＳＩＰ  ＵＲＬに変換する。ＳＩＰ  ＵＲＬは、ＤＮＳ照会を用いてＩＰアドレスに変えられ、または前記メッセージがＳＩＰプロキシ／レジストラを介してルーティングされる。ＩＰＧは、ＳＭＰＰ  ＤＥＬＩＶＥＲ＿ＳＭメッセージからのＳＩＰ  ＭＥＳＳＡＧＥ要求を作成し、ＳＩＰ  ＭＥＳＳＡＧＥに包含される宛先ユーザにＳＭＳを配信する。
【００６３】
前記ＵＡＣがＳＩＰ  ＭＥＳＳＡＧＥを首尾よく受け取ったことは、２００ＯＫ応答の受信時にＩＰＧに表示される。この２００ＯＫをＩＰＧが、ＳＭＳＣに送られるＳＭＰＰ  ＤＥＬＩＶＥＲ＿ＳＭ＿ａｃｋ応答に変換する。
【００６４】
ＩＰユーザからＰＬＭＮドメインに着信するＳＭサービスの説明：
このサービスのメッセージフローが図３に示されている。ＳＩＰ  ＵＡＣがＳＭＳをＰＬＭＮ加入者に送ることを要求すると、ＰＬＭＮ加入者のＳＩＰ  ＵＲＬドメインネームが、ＤＮＳルックアップによってＩＰＧのＩＰアドレスに変えられ、または前記メッセージがＳＩＰプロキシを介してルーティングされる。ＳＩＰ  ＭＥＳＳＡＧＥ要求は、ＳＩＰ  ＵＡＳとして機能するＩＰＧに送られる。
【００６５】
ＩＰＧノード１がＳＩＰ  ＭＥＳＳＡＧＥを受け取り、かつそれをＩＰＧ  ＳＭＰＰ変換器に送る。ＳＩＰ  ＭＥＳＳＡＧＥ要求はＳＭＰＰ  Ｓｕｂｍｉｔ＿ＳＭメッセージに変換され、かつＰＬＭＮユーザのＭＳＩＳＤＮが前記アドレス管理エンティティによりＳＩＰ  ＵＲＬから抽出される。ＳＭＥとして機能するＩＰＧが前記Ｓｕｂｍｉｔ＿ＳＭをＳＭＳＣに送る。ＳＭＳ−ＧＭＳＣはＰＬＭＮ  ＨＬＲに加入者の利用できるＭＳＣを照会し、前記ＦＳＭを作成して、前記ＭＳへの配信のために利用できるＭＳＣにＳＭＳを送る。
【００６６】
ＩＰＧノード１の実行に関連する追加の説明を以下に示す。
【００６７】
ＩＰＧノード１とＳＭＳＣ間の通信は、ＳＭＳフォーラムにより特定される標準ＳＭＰＰプロトコルに基づいている。ＩＰドメインにおけるメッセージングの制御の機能を強化するために、通信には標準ＳＭＰＰ動作への何らかの拡張を利用することができ、関連する変更をＩＰＧノード１及びＳＭＳＣのＳＭＰＰプロトコルモジュールに加える。特に、拡張されたプロトコルの定義によって、ＩＰＧノード１はＳＭＳＣメッセージ記憶装置内のメッセージを変更して、該メッセージ上の宛先アドレスをＩＰドメインのユーザに割り当てられた直接アドレスに変更することができる。
【００６８】
ＩＰＧノード１は、高度に利用可能なかつスケーラブルなノードとしてネットワーク内に配置される。それは、個々のノードがＩＰドメインのユーザに割り当てられた様々なＭＳＩＳＤＮ様の範囲で利用できるマルチノードのクラスタとして構成することができる。また、前記ノードはアクティブ／スタンバイの対としてまたはＮ＋Ｍ冗長度の構成で動作して、ネットワークオペレータに高可用性の構成を提供することができる。アクティブノードが故障した場合には、スタンバイノードまたは利用可能な冗長ノードを保証した前記ノードの代わりに前記クラスタに切り換えることができる。頑強なデータ共有メカニズムを実行して、新たに活動化した前記ノードが、故障した前記ノードにより先に作成されたＭＳＩＳＤＮ様のアドレスとＳＩＰ  ＵＲＬアドレス間の結合にアクセスできるようにする。
【００６９】
最小限の構成では、ＩＰＧは、追加のノードに動的に切り換える能力を有する単一のノードとして配置し、増大する能力の要求に適合させることができる。最小限の高可用性構成については、ＩＰＧノード１が、アクティブ／スタンバイノードで動作するデュアルノードのクラスタとして配置される。
【００７０】
また、ＩＰＧノード１は、後払い及び先払い動作の双方に適した課金インタフェースを提供する。後払い動作については、ＩＰＧノード１が、各メッセージの提出、配信試み及び配信レポートについてＣＤＲイベント記録を生成する。先払い動作については、ＩＰＧが、先払い課金システムと通信するように適合させることができる課金インタフェースを実行する。前記課金インタフェース及びＩＰＧのメッセージ配信エンティティは、この動作が前記先払い式課金システムにより支援されている場合に、配信試みを引き起こす前に加入者口座の配信前信用調査を実行するように設計される。
【００７１】
本発明によって、ＰＬＭＮドメインにおけるメッセージングの完全な機能をＩＰドメインのユーザに確実に移すことができるメカニズムが提供されることが分かる。これは、上記説明においてＳＭＳサービスについて記載されているが、本発明は、インスタントメッセージング、マルチメディアメッセージング及びメッセージブロードキャストサービスのような他のメッセージングサービスについても同様に適応することができる。ＩＰＧは、例えばインスタントメッセージングサーバ、マルチメディアサーバなどのＰＬＭＮドメインにおける適当なメッセージングサーバに適当なインタフェースモジュールを実行することによって様々なメッセージタイプの配信のために再構成することができる。更に、ノード１は、ＰＬＭＮドメイン及びパケットデータドメインの双方におけるネットワーク技術の範囲で首尾よく動作するように適当に構成することができる。
【００７２】
本発明は上述した実施例に限定されるものでなく、その構成及び詳細において様々に変更することができる。
【図面の簡単な説明】
【００７３】
【図１】ＰＬＭＮメッセージングドメインとＰＬＭＮ及びＩＰ間の制御エンティティとメッセージングイネーブルＩＰドメインとの間における相互作用を示す説明図である。
【図２】ＰＬＭＮで発信されかつＰＤＮで着信するＳＭＳの信号送信のフローを示す図である。
【図３】ＰＤＮドメインで発信されかつＰＬＭＮドメインで着信するＳＭＳの信号送信フローを示す図である。
【図１】
2005526470.tif 000003
【図２】
2005526470.tif 000004
【図３】
2005526470.tif 000005
【国際調査報告】
2005526470.tif 000006
2005526470.tif 000007
2005526470.tif 000008
2005526470.tif 000009
2005526470.tif 000010